(57)【要約】  本発明は、脚の解剖学的形状を測定するための装置（１）に関し、該装置（１）は、支持フレーム（１０）と前記支持フレーム（１０）に連結された角度測定器具（２０）とを備える。本発明による当該装置は、前記角度測定器具（２０）が少なくとも一つの関節計（２２ａ、２２ｂ）と前記関節計（２２ａ、２２ｂ）にヒンジで接続された少なくとも一つのロッド（２１）とを備え、前記角度測定器具（２０）に連結された複数の光点投影手段（２３ａ、２３ｂ）も備えることを特徴とする。
2014504182.tif 000002
【特許請求の範囲】
【請求項１】
脚の解剖学的形状の測定装置（１）であって、該装置（１）は、支持フレーム（１０）と前記支持フレーム（１０）に連結された少なくとも一つの角度測定器具（２０）とを備え、前記角度測定器具（２０）は、少なくとも一つの関節計（２２ａ、２２ｂ）と、前記関節計（２２ａ、２２ｂ）にヒンジで接続された少なくとも一つのロッド（２１）とを備えることを特徴とし、更に、前記装置（１）は、前記角度測定器具（２０）に連結された複数の光点投影手段（２３ａ、２３ｂ）を備えることを特徴とする装置。
【請求項２】
請求項１に記載の脚の解剖学的形状の測定装置（１）において、前記複数の光点投影手段（２３ａ、２３ｂ）は前記ロッド（２１）に連結されており、前記ロッド（２１）に対して可動であることを特徴とする装置。
【請求項３】
請求項１又は２に記載の脚の解剖学的形状の測定装置（１）において、前記複数の光点投影手段が少なくとも一つのレーザ・ポインタ（２３ａ、２３ｂ）を備えることを特徴とする装置。
【請求項４】
請求項１乃至３のいずれか１項に記載の装置（１）において、前記光点投影手段は、軸ガイド（２４）によって、前記関節計（２２ａ、２２ｂ）とのヒンジ接続点に隣接する前記ロッド（２１）と滑動可能に結合する少なくとも一つの第一レーザ・ポインタ（２３ａ）と、これも前記ガイド（２４）によって前記ロッド（２１）と滑動可能に結合し、前記関節計（２２ａ、２２ｂ）とヒンジ接続された端部とは反対側にある前記ロッドの端部のより近くに位置する少なくとも一つの第二レーザ・ポインタ（２３ｂ）とを備えることを特徴とする装置。
【請求項５】
請求項１乃至４のいずれか１項に記載の装置（１）において、前記第一レーザ・ポインタ（２３ａ）及び第二レーザ・ポインタ（２３ｂ）が、前記ロッド（２１）に沿った固定位置にロックされるための固定手段を備えることを特徴とする装置。
【請求項６】
請求項１乃至５のいずれか１項に記載の脚の解剖学的形状の測定装置（１）において、前記支持フレーム（１０）は、地面に基礎を置く少なくとも一つの水平基部（１１）と少なくとも一組の実質的に鉛直な側肩部（１２、１３）とを備えることを特徴とする装置。
【請求項７】
請求項１乃至６のいずれか１項に記載の脚の解剖学的形状の測定装置（１）において、該装置（１）は、前記フレーム上で、前記角度測定器具（２０）を動かすための複数のガイド手段（４、５）も備えることを特徴とする装置。
【請求項８】
請求項１乃至７のいずれか１項に記載の脚の解剖学的形状の測定装置（１）において、前記複数のガイド手段が、前記角度測定器具（２０）を横方向、すなわち前面において滑動させることを可能とする少なくとも一つの下方ガイド（４）を備えることを特徴とする装置。
【請求項９】
請求項７に記載の脚の解剖学的形状の測定装置（１）において、前記ガイド手段は、前記下方ガイド（４）と同一の全面に含まれ、前記下方ガイド（４）と実質的に平行な少なくとも一つの上方ガイド（５）も備え、該上方ガイド（５）は、前記角度測定器具（２０）の横方向の滑動をガイドすることを特徴とする装置。
【請求項１０】
請求項８に記載の脚の解剖学的形状の測定装置（１）において、前記関節計（２２ａ、２２ｂ）は、前記下方ガイド（４）に沿って前記フレーム（１０）上を横方向に滑動させられることを特徴とする装置。
【請求項１１】
請求項９に記載の脚の解剖学的形状の測定装置（１）において、前記角度測定器具（２０）の前記ロッド（２１）の自由端が、前記上方ガイド（５）に挿入されていることを特徴とする装置。
【請求項１２】
請求項１乃至１１のいずれか１項に記載の脚の解剖学的形状の測定装置（１）において、前記関節計がデジタル電気測定器具（２３ｂ）であることを特徴とする装置。
【請求項１３】
請求項１乃至１２のいずれか１項に記載の脚の解剖学的形状の測定装置（１）において、該装置（１）が、複数の参照測定点を正確に特定するための手段（５、６、７、８ａ、８ｂ）を更に備えることを特徴とする装置。
【請求項１４】
請求項１乃至１３のいずれか１項に記載の脚の解剖学的形状の測定装置（１）において、複数の参照測定点を正確に特定するための前記手段が、前記側肩部（１２、１３）と滑動可能に結合した少なくとも一つの水平ロッド（６）を備え、前記ロッド（６）は軸ガイド溝（７）を備え、該ガイド溝（７）内に、複数の光点投影手段（８ａ、８ｂ）が滑動可能に位置づけられることを特徴とする装置。
【請求項１５】
請求項１乃至１４のいずれか１項に記載の脚の解剖学的形状の測定装置（１）において、該装置（１）が可動パーツを動かすためのモータ駆動手段を備え、前記モータ駆動手段は、専用のソフトウェアによってプログラム可能な電気制御ユニットによって制御されることを特徴とする装置。
【発明の詳細な説明】
【技術分野】
【０００１】
本発明は、脚の解剖学的形状を測定するのに適した測定装置又は測定器具に関する。
【背景技術】
【０００２】
外傷後のリハビリテーションからスポーツ環境における適用までの範囲において、本発明による測定装置の複数の適用が存在する。
【０００３】
確かに、脚の解剖学的形状は人によって大きく変化することが知られており、とりわけ、前面と側面の脛骨の角度、すなわち、前面と矢状面で得られる角度に大きな相違を伴う。
【０００４】
脚の解剖学的形状におけるこれらの自覚的な相違は、いくつかの場合において大きな重要性を持つが、とりわけ脚の形状を正確に知る状況は、スポーツ環境、特に、滑降スキーにおいて、スポーツをする人が剛体の又は半剛体の履物を履く際に生じると考えられるであろう。
【０００５】
確かにこの場合において、履物と脚の形状との間の正確な調整を決定する必要が存在する。
【０００６】
確かに、技巧的な履物が市場で周知となっており、該履物は、靴又はブーツの４分の１の部分、すなわち脛骨を包む部分の、前面における、しかし、矢状面にもおける傾斜調整の様々な可能性を提供する。
【０００７】
とりわけ、ブーツのいくつかの変形が、この目的を対象とした装置によって、４分の１の部分の傾斜を調整することが可能なスキーの履物の分野で知られている。これらの装置は、履物の内側と外側の双方に備え付けられてもよく、当該分野で「キャンティング（ｃａｎｔｉｎｇ）」として知られるもの、すなわち、特に前面において、しかし、ある場合においては矢状面においても、鉛直方向に対する４分の１の部分の傾斜の調整装置を実装する。
【０００８】
そのように、スポーツ履物の傾斜角の最善の調整が、脚の解剖学的形状に直接関連することは明白である。というのも、４分の１の部分の傾斜の調整の可能性は、とりわけ、履物を次第に心地よくするため、及び、個人の解剖学的形状に適合する可能性を伴って使用者のスポーツの能力を高めるために、研究されているからである。
【０００９】
ブーツの傾斜を調整することによって、スキー板への荷重分布及び地面に対するスキー板の角度それ自身が変化するだけではない。
【００１０】
図１乃至３に見られるように、脚の最も一般的な生来の解剖学的形状は、膝が、脚及び足首と同一線上にある軸に実質的に存在することを伴うか（図１をご参照のこと）、外反膝の状況にあり（図２をご参照のこと）、そこでは膝が足首を通る鉛直線に対して内側にあるか、あるいは、図３に示されるように内反膝の状況にあり、膝が足首を通る鉛直線に対して外側にありがちであるか、である。
【００１１】
そのようにして、脚の生来の解剖学的形状の判断が、スポーツ用履物、例えば、スキー・ブーツの傾斜調整の変更を考慮すると、とても重要であることが理解される。実際、脚の構えと荷重分布が前記構えによって変化する際、ブーツの傾きが地面に対して変化し、そうしてスキーヤーの全体の構えが変化することも考慮されるべきである。
【００１２】
したがって、ユーザの脚の解剖学的形状に適合し、ブーツの靴底を地面に対して完全に平行にすることが可能な中立的な位置（すなわちブーツの傾斜調整の位置）を正確に知ることが、大変重要であることが理解され、その結果、ユーザが地面に対して異なるブーツの傾斜角を得たい際は、ユーザが傾斜調整に介入してもよい。
【００１３】
確かに、脚の実際の解剖学的形状に関する正確なデータがない場合には、ブーツに対して直接もたらされる傾斜調整は、望ましい効果に有効に帰結することができない、又は、反対の効果すら生じ得ることがすでに理解されている。
【００１４】
したがって、ユーザの脚の実際の解剖学的形状を知るために、機械的関節計（ｍｅｃｈａｎｉｃａｌ  ｇｏｎｉｏｍｅｔｅｒ）の手動の使用に実質的に基づく測定器具が現在用いられている。
【００１５】
現在では、当該測定は、ロッドが単純に連結した機械的関節計を設置する技術者によって手動で行われており、脚の形状によって許容される最小許容距離から当該技術者は手動で再び計測する際に観測している。当該技術者は、足首に設置した関節計を把持し、前面における脚の傾斜角を測定するが、一方で、関節計に連結されたロッドを脛骨に対して可能な限り保持する。
【００１６】
このような手動の及び機械による脚の解剖学的形状の測定には、いくつかの欠点が存在する。
【００１７】
これらの欠点の中で主要な問題は、取得される測定値の正確性の欠如からなる。というのも、それが概算値であるために確実に再現することができず、したがって信頼が出来ない。
【００１８】
この測定値の正確性の欠如は、測定を行う技術者によって実行される関節計で示された角度の読み取りによるものではなく、患者の脚に沿った測定器具のおおよその不安定な位置取り、及び、測定が行われる箇所を正確に特定することの困難性によるものである。
【発明の概要】
【発明が解決しようとする課題】
【００１９】
したがって、本発明の主要な課題は、周知の先行技術による装置にもたらされる欠点を抑制することが可能な脚の解剖学的形状を測定するための新しい装置を提供することである。
【００２０】
この課題の範囲において、本発明の目的は、前面及び矢状面の双方において精密で正確で再現される手法によって、脛骨の形状を正確に測定することが可能な脚の解剖学的形状を測定するための装置を提供することである。
【００２１】
本発明の更なる目的は、関連する当該角度の電気的な測定を行う測定装置を提供することであり、それによって、パーソナル・コンピュータによって測定データを取得し管理することが可能となり、当該装置が当該パーソナル・コンピュータに接続されてもよい。
【課題を解決するための手段】
【００２２】
この課題、及びこれらの及び他の目的は、これ以降より明白になるが、付随する請求項で請求される測定装置によって達成される。
【００２３】
とりわけ、本発明に従う脚の解剖学的形状の測定装置は、少なくとも一つの機械的又はデジタルの関節計を備える角度測定器具を支持し及び安定的に位置づける少なくとも一つの構造又は支持フレームと、前記関節計にヒンジで取り付けられた少なくとも一つのロッドとを備え、前記測定器具に連結された前記ロッドは光点を投影するための可動手段を支持し、前記測定器具はガイド手段と滑動可能に結合することを特徴とする。
【００２４】
本発明の更なる特徴及び利点は、以下の詳細な説明から更に明白になるが、非限定例によってもたらされ、以下の付随する図面に示される。
【図面の簡単な説明】
【００２５】
【図１】中立的な構成による人間の脚の、可能である生来の解剖学的構成を示す図である。
【図２】内反の構成による人間の脚の、可能である生来の解剖学的構成を示す図である。
【図３】外反の構成による人間の脚の、可能である生来の解剖学的構成を示す図である。
【図４】本発明に従う測定装置の第一の好適実施例の全体の透視図である。
【図５】本発明に従う測定装置の第二の好適実施例の全体の透視図である。
【図６】本発明に従う測定装置の第三の好適実施例の全体の透視図である。
【発明を実施するための形態】
【００２６】
非限定例による、上記の複数の図面に示される本発明の好適実施例によれば、脚の解剖学的形状を測定するための装置１は、順に、地面に基礎を置くことを意図された少なくとも一つの水平基部１１と、少なくとも一組の実質的に鉛直な側肩部１２及び１３とを備える支持フレーム１０を備える。
【００２７】
当該測定装置は角度測定器具２０を備え、該角度測定器具２０は、順に、少なくとも一つの関節計２２ａ、２２ｂと、鉛直方向に対して傾けるため前記関節計にヒンジで結合された少なくとも一つのロッド２１とを備える。前記角度測定器具２０は、また、滑動可能な方法で前記ロッド２１と長軸方向に結合した、少なくとも一組の光点投影手段２３ａ、２３ｂを備える。当該光点投影手段２３ａ及び２３ｂをロッド２１に対して滑動させるために、ロッド２１には軸溝２４が適宜備わる。
【００２８】
本発明の好適実施例によれば、これらの光点投影手段は、有利なことにレーザ・ポインタからなる。従って、示される例においては、第一のレーザ・ポインタ２３ａと第二のレーザ・ポインタ２３ｂとがロッド２１に滑動可能に結合するように備わり、該レーザ・ポインタは、前記ポインタを、ロッド２１に沿ったいかなる位置、とりわけ、技術者によって選択された前記軸溝２４のいかなる位置にも堅く固定するために適した（付随する図面には示されないが）固定手段を備える。
【００２９】
測定が行われる際、測定器具の安定した位置付けを確実にするために、角度測定器具２０はガイド手段４、５に適宜支持される。
【００３０】
とりわけ、図４及び５に示される好適実施例に従えば、前記ガイド手段は、少なくとも一つの下方ガイド４を備え、該下方ガイド４は、角度測定器具２０を、とりわけ関節計２２ａ、２２ｂが設置された前記測定器具２０の下方端部を把持することによって、前面において横方向に滑動させることを可能とし、また、前記ガイド手段は少なくとも一つの上方ガイド５を備え、該上方ガイド５は、これも前面において前記上方端部の動きをガイドするよう適合した前記角度測定器具２０の上方端部を支える。とりわけ、好適実施例は、前記ロッド２１の自由端、すなわち前記関節計にヒンジで結合された端部と反対の端部であって、前記上方ガイドに挿入される端部を提供する。
【００３１】
下方ガイド４は基部１１に有利に沿い、前面に含まれ、一方で、上方ガイド５は鉛直側肩部１２及び１３によって端部で支持され、同一の前面に含まれ、そうして、角度測定器具２０の全体が同一の前面に含まれる。
【００３２】
図４が示すのは本発明に従う第一の好適実施例であって、関節計２２ａが従来の機械的関節計である実施例である。
【００３３】
図５が示すのは本発明に従う第二の好適実施例であって、関節計２２ｂがデジタル関節計であり、すなわち、実施される角度測定の電気的な指示をもたらすことが可能な実施例である。測定器具１をコンピュータに直接連結させるという更なる有利な点は、この第二の実施例によって得られるが、複数のデータ及び測定値を格納することを目的とし、得られた測定値の統計的指示を収集し、各個人アスリートの複数の特徴を解明するために有用な参照データベースを生成することをも目的とする。
【００３４】
本発明に従う測定装置１の操作は、したがって以下の通りである。
【００３５】
ユーザが基部１１の上に正面を向いて立ち、そして、脚の前部を測定器具２０に向けて位置づける。
【００３６】
技術者が、第一レーザ・ポインタ２３ａ、すなわち下方のポインタによって生成される光点を、ユーザの足の甲のすぐ上の脛骨基部の中央に注意深く位置づける。
【００３７】
これまで述べたように、第一光点を正確に位置づけるため、技術者は、測定器具をユーザの脚に対する位置を合わせるよう、測定器具２０をガイド４及び５に沿って移動させてもよい。
【００３８】
いったん第一光点が正確に位置付けされると、技術者は、第二レーザ・ポインタ２３ｂによって生成される第二光点が、脛骨の解剖学的点、すなわち、第一点と膝関節との間にあり、脚の解剖学に従えば膝関節の実質的に直下にあり、ふくらはぎのより広い部分の中央点にある点に存在するまで、下方端部で関節計２２ａ、２２ｂにヒンジで結合され、上方ガイド５の存在によって頂部にガイドされ、前面で再び動くロッド２１を動かしてもよい。
【００３９】
第一及び第二の光点は、技術者によって脚の上に、脚それ自身の中心軸、したがって脛骨の軸と一致して位置づけられる。この目的のために、技術者は、複数の光点が位置づけられる点をマーキングするのに適切な便宜的手段を用いてもよい。これらの手段の中では、二つの参照測定点を強調するために、例えば、鉛筆、ボールペン、フェルトペン等のような筆記具に言及してもよく、又は、目盛り付きの帯、又は接着要素などの視覚的に当該点を記すのにふさわしい器具でもよい。
【００４０】
付随する図６内の例によって示される本発明に従う測定手段の好適実施例によれば、脚の解剖学的形状を測定するための装置は、複数の参照測定点を正確に特定する更なる手段５、６、７、８ａ、８ｂを有利に備えてもよい。
【００４１】
例によって示されているように、参照測定点を正確に特定するための前記手段は、軸ガイド溝７が備わり、側肩部１２、１３と滑動可能に連結した、必要とされる高さに位置付けられるための、更なる水平脛骨ロッド（ｈｏｒｉｚｏｎｔａｌ  ｔｉｂｉａｌ  ｒｏｄ）６を備えてもよい。
【００４２】
更なる光点投影手段が前記水平脛骨ロッド６に沿って設けられ、該光点投影手段は、とりわけ、軸ガイド溝７に沿って水平方向に滑動し、該光点投影手段は、好ましくは一組のレーザ・ポインタ８ａ、８ｂからなってもよい。
【００４３】
複数の参照測定点を正確に特定するためのこれまで述べてきた手段５、６、７、８ａ、８ｂは、技術者によって（当該装置によって支援され、したがってより正確で信頼できる手法で）、複数の測定点を特定するために用いられ、その操作は、上記で述べたように手動モードである。
【００４４】
したがって、とりわけ、技術者は足首に近く、足の甲のすぐ上に、脛骨ロッド６を垂直に設置してもよい。ポインタ８ａ及び８ｂからの光点の投射は、足首の内側及び外側を側面に沿って包み、それによって、技術者が、第一測定点を、脚の中心軸、すなわち脛骨軸上に特定することが可能となる。
【００４５】
いったんこの第一点が特定されると、技術者は、脛骨ロッド６を、膝関節のすぐ下の点、すなわち、ふくらはぎの最も広い箇所の中心点に位置付けるため、鉛直にスライドさせることによって上方に移動させてもよい。このような場合であっても、ポインタ８ａ及び８ｂからの光線は、それぞれふくらはぎの最も広い箇所において脚の内側及び外側を包み、それによって、技術者が脚の軸上の第二測定点を容易に特定することが可能となる。
【００４６】
第一測定点を特定する場合において、ロッド６に沿ったポインタ８ａ及び８ｂの水平方向の動きにより、技術者は、ふくらはぎの最も広い箇所及び足首の最も狭い箇所を容易に特定することが可能となるが、それは、複数のポインタを水平方向に位置付けることが可能だからである。
【００４７】
明らかに、測定ステップの間、技術者によって実施される各操作を、より容易にのみならず、より正確により再現可能にするために、複数の関節計と鉛直ロッド２１及び水平ロッド６の双方に、少なくとも１ミリメートルのスケールで有利に目盛りがつけられる。
【００４８】
測定に戻ると、上記のように、測定のための光点を正確に位置づけるため、技術者は装置の調整の可能性を容易に利用してもよく、それは、二つのレーザ・ポインタ２３ａ及び２３ｂの高さをロッド２１に沿って変化させ、それから角度測定器具２１の全体を下方ガイド４に沿って移動させ、上方ガイド５によってガイドされるロッド２１を、その下方端部が関節計にヒンジ接続される点に対して回転させることによるものである。
【００４９】
したがって、複数のレーザ・ポインタによって生成される第一及び第二の光点を正確に位置づけることにより、技術者は、機械的関節計２２ａ又はデジタル関節計２２ｂ上で、上記の傾斜調節のために関連する前面の脚の解剖学的形状の角度測定値を直接読んでもよい。
【００５０】
脚の解剖学的形状を測定するためにこれまで述べてきた操作は、他の脚においても簡単に再現されるが、それは、角度測定器具２０を下方ガイド４に沿って単純に動かし、当該器具を第二の脚に位置付けることによるものである。
【００５１】
したがって、本発明に従う測定装置は、脚の解剖学的パラメータが矢状面で測定されることも可能とする。
【００５２】
矢状面での脚のそのような形状を検知するために、ユーザは、基部１１上に立ち、それから脚の側部のそばに測定器具を有してもよい。
【００５３】
このようにして脚の解剖学的形状を測定するための測定装置が、提案する目的及び目標をいかに達成するかが示された。
【００５４】
当業者によって、本出願の保護範囲から離れることなく、いくつかの修正が行われてもよい。
【００５５】
したがって、複数の請求項の保護範囲は、例として本発明の記載に示された好適な開示又は態様によって限定されるものではなく、同一の革新的なコンセプトを用いることによる等しく有用な本発明の全ての異なる形態は、本願の範囲内にある。この意味において、二つ以上のレーザ・ポインタが含まれる当該装置の可動部の動きは、適切な動力化、例えば電気的動力化によってオートメーション化されてもよく、これらのポインタは、電気的、電子的又はオートメーション化された動力化によって、及び／又は、ＰＣ、ビデオ・カメラ、又は他の技術的媒体の伴う特定のソフトウェア・プログラムを用いることによるサーボ・アシストされた動力化によって支援されてもよいが、それは、設計技術者によって利用可能な変更によるものである。
【符号の説明】
【００５６】
１  装置
４  ガイド
５  ガイド
６  ロッド
７  軸溝
８ａ  レーザ・ポインタ
８ｂ  レーザ・ポインタ
１０  支持フレーム
１１  水平基部
１２  側肩部
１３  側肩部
２０  角度測定器具
２１  ロッド
２２ａ  関節計
２２ｂ  関節計
２３ａ  レーザ・ポインタ
２３ｂ  レーザ・ポインタ
２４  軸溝
【図１】
2014504182.tif 000003
【図２】
2014504182.tif 000004
【図３】
2014504182.tif 000005
【図４】
2014504182.tif 000006
【図５】
2014504182.tif 000007
【図６】
2014504182.tif 000008
【手続補正書】
【提出日】平成25年8月13日(2013.8.13)
【手続補正１】
【補正対象書類名】特許請求の範囲
【補正対象項目名】請求項８
【補正方法】変更
【補正の内容】
【請求項８】
請求項７に記載の脚の解剖学的形状の測定装置（１）において、前記複数のガイド手段が、前記角度測定器具（２０）を横方向、すなわち前面において滑動させることを可能とする少なくとも一つの下方ガイド（４）を備えることを特徴とする装置。
【手続補正２】
【補正対象書類名】特許請求の範囲
【補正対象項目名】請求項１４
【補正方法】変更
【補正の内容】
【請求項１４】
請求項１３に記載の脚の解剖学的形状の測定装置（１）において、複数の参照測定点を正確に特定するための前記手段が、前記側肩部（１２、１３）と滑動可能に結合した少なくとも一つの水平ロッド（６）を備え、前記ロッド（６）は軸ガイド溝（７）を備え、該ガイド溝（７）内に、複数の光点投影手段（８ａ、８ｂ）が滑動可能に位置づけられることを特徴とする装置。
【国際調査報告】
2014504182.tif 000009
2014504182.tif 000010